(57)【特許請求の範囲】
【請求項１】
フィルムを搬送する搬送手段と、
前記搬送手段により搬送されるフィルムに対し搬送方向と交差する方向に沿って走査が行われる走査位置において、走査方向と略直交する方向に沿ってフィルムを湾曲させる湾曲手段と、
を備えたフィルムキャリアであって、
前記走査位置では、読取部により前記走査方向に沿って走査読み取りが行われ、
前記湾曲手段は、前記読取部が配置されている側が凸となるようにフィルムを湾曲させ、
前記フィルムの前記凸となるように湾曲される部分の内側に配置され、該部分が前記走査方向に沿って水平となるように規制する規制手段を更に備えた、
ことを特徴とするフィルムキャリア。
【請求項２】
前記湾曲手段は、前記搬送方向に直交する方向に沿ったフィルムの端部を案内するガイドである請求項１記載のフィルムキャリア。
【請求項３】
前記搬送手段により搬送されるフィルムに対し搬送方向と交差する方向に沿って走査が行われる走査位置を挟んで搬送方向の上流側及び下流側の少なくとも一方において、フィルムを押圧する押圧手段を更に備えたことを特徴とする請求項１又は請求項２記載のフィルムキャリア。
【請求項４】
前記搬送手段により搬送されるフィルムに対し搬送方向と交差する方向に沿って走査が行われる走査位置を通過している該フィルムの部分に、テンションを発生させるテンション発生手段を更に備えた請求項１乃至請求項３の何れか１項に記載のフィルムキャリア。
【発明の詳細な説明】
【０００１】
【発明の属する技術分野】
本発明は、フィルムキャリアに係り、より詳しくは、フィルムを搬送するフィルムキャリアに関する。
【０００２】
【従来の技術】
従来より、デジタルプリンタは、原稿を搬送すると共に、読取走査位置において、搬送されている原稿に光を照射し、原稿から反射した光をラインセンサで測光することにより、原稿の画像を読み取り、読み取った画像データを画像処理して、プリントしている。
【０００３】
ところで、ネガフィルムに記録された画像を印画紙に焼き付けるデジタルプリンタにおいて、上記デジタルプリンタと同様に、ネガフィルムを搬送すると共に、読取走査位置において、搬送されているネガフィルムに光を照射し、ネガフィルムから透過した光をラインセンサで測光することにより、画像を読み取り、読み取った画像データに基づいて、印画紙を焼き付け露光することにより、印画紙に画像を形成することも考えられる。
【０００４】
この場合、印画紙に高品質の画像を形成するためには、読取走査位置においてネガフィルムが高い平面性を確保する必要がある。即ち、読取走査位置に位置するネガフィルムが、読取走査位置を含みかつ光軸に垂直な平面内に位置する必要がある。
【０００５】
【発明が解決しようとする課題】
しかしながら、ネガフィルムはカートリッジに巻き取られて収納されているので、巻き取られている方向に沿って湾曲する巻き癖（巻きカール）が生じている。また、ネガフィルムには、自重により、幅方向に樋状に沿って湾曲する樋カールが生じている。このように巻きカールや樋カールが生じているので、走査読取位置においてネガフィルムに平面性を確保できない。
【０００６】
本発明は、上記事実に鑑みなされたもので、走査位置においてフィルムの平面性を確保することの可能なフィルムキャリアを提供することを目的とする。
【０００７】
【課題を解決するための手段】
上記目的を達成するために第１の発明は、フィルムを搬送する搬送手段と、前記搬送手段により搬送されるフィルムに対し搬送方向と交差する方向に沿って走査が行われる走査位置において、走査方向と略直交する方向に沿ってフィルムを湾曲させる湾曲手段と、を備えている。
【０００８】
即ち、本発明に係る搬送手段は、フィルムを搬送し、湾曲手段は、搬送手段により搬送されるフィルムに対し搬送方向と交差する方向に沿って走査が行われる走査位置において、走査方向と略直交する方向に沿ってフィルムを湾曲させる。なお、走査方向は、好ましくは、フィルム幅方向である。
【０００９】
ここで、走査位置では、読取部により走査方向に沿って走査読み取りが行われ、湾曲手段は、読取部が配置されている側が凸となるようにフィルムを湾曲させるようにしてもよい。この場合、フィルムの凸となるように湾曲される部分の内側に、該部分が走査方向に沿って水平となるように規制する規制手段を配置するようにしてもよい。このようにフィルムの凸となるように湾曲される部分の内側に、該部分が走査方向に沿って水平となるように規制する規制手段を配置するので、フィルムの凸となるように湾曲される部分のたわみ等を規制することができる。なお、湾曲手段は、読取部が配置されている側が凹となるようにフィルムを湾曲させるようにしてもよい。
【００１０】
また、湾曲手段は、搬送方向に直交する方向に沿ったフィルムの全域を案内するガイド等でもよいが、フィルムの端部を案内するガイドとしてもよい。このように、湾曲手段をフィルムの端部を案内するガイドとすれば、湾曲手段により、フィルムに記録された画像が傷つけられることを防止することができる。
【００１１】
以上のように、走査位置において、走査方向と略直交する方向に沿ってフィルムを湾曲させるので、走査位置に位置するフィルムの領域における巻きカールを矯正することができる。よって、走査位置に位置するフィルムの領域における平面性を確保することができる。
【００１２】
本発明では、前記搬送手段により搬送されるフィルムに対しフィルム搬送方向と交差する方向に沿って走査が行われる走査位置を挟んで搬送方向の上流側及び下流側の少なくとも一方において、フィルムを押圧する押圧手段を更に備えるようにしてもよい。
【００１３】
即ち、本発明に係る押圧手段は、搬送手段により搬送されるフィルムに対しフィルム搬送方向と交差する方向に沿って走査が行われる走査位置を挟んで搬送方向の上流側及び下流側の少なくとも一方において、フィルムを押圧する。
【００１４】
このように、走査位置を挟んで搬送方向の上流側及び下流側の少なくとも一方において、フィルムを押圧するので、走査位置に位置するフィルムの領域における樋カールを矯正することができる。
【００１５】
なお、押圧手段がフィルムの下方に位置する場合には、押圧手段は、フィルムの走査方向の中央部を押圧し、押圧手段がフィルムの上方に位置する場合には、押圧手段は、フィルムの走査方向の両端部を押圧する。
【００１６】
本発明では、前記搬送手段により搬送されるフィルムに対し搬送方向と交差する方向に沿って走査が行われる走査位置を通過している該フィルムの部分に、テンションを発生させるテンション発生手段を更に備えるようにしてもよい。
【００１７】
即ち、本発明に係るテンション発生手段は、搬送手段により搬送されるフィルムに対し搬送方向と交差する方向に沿って走査が行われる走査位置を通過している該フィルムの部分に、テンションを発生させる。
【００１８】
このように、走査位置を通過しているフィルムの部分に、テンションを発生させるので、テンションにより、フィルムの巻きカール及び樋カールを矯正することができる。
【００１９】
なお、搬送手段は、走査位置よりフィルム搬送方向下流側でフィルムを引っ張るように搬送し、テンション発生手段は、搬送手段により搬送されるフィルムに、搬送方向と逆方向の抵抗力を発生させることにより、上記テンションを発生させてもよい。また、テンション発生手段は、フィルムを押圧することにより、テンションを発生させてもよい。
【００２０】
【発明の実施の形態】
以下、図面を参照して本発明の実施の形態について詳細に説明する。
【００２１】
図１には、デジタルプリンタのラインＣＣＤスキャナ部が示されている。ラインＣＣＤスキャナ部は、ハロゲンランプやメタルハライドランプ等から成りフィルム２２に光を照射する光源１３０を備えており、光源１３０の光射出側には、フィルム２２に照射する光を拡散光とする光拡散ボックス１３６が順に配置されている。
【００２２】
フィルム２２は、光拡散ボックス１３６の光射出側に配置されたフィルムキャリア１４（図２も参照）によって、予め定められたフィルム幅方向に沿った走査位置（中央が光軸に一致する）で湾曲されたフィルム画像の画面中心が光軸に一致するように位置決めされる。なお、フィルムキャリア１４は、略箱型の筐体に内蔵されている。
【００２３】
また、光源１３０と光拡散ボックス３６との間には、Ｃ（シアン）、Ｍ（マゼンダ）、Ｙ（イエロー）の調光フィルタ１１４Ｃ、１１４Ｍ、１１４Ｙが射出光の光軸に沿って順に設けられており、フィルム２２を挟んで光源１３０と反対側には、光軸に沿って、フィルム画像を透過した光を結像させるレンズユニット１４０、フィルム幅方向が長手方向となるように配置されたラインＣＣＤ１１６が順に配置されている。図１ではレンズユニット４０として単一のレンズのみを示しているが、レンズユニット４０は、実際には複数枚のレンズから構成されたズームレンズである。
【００２４】
ラインＣＣＤ１１６は、ＣＣＤセル及びフォトダイオード等の光電変換素子が一列に多数配置されかつ電子シャッタ機構が設けられたセンシング部が、間隔を空けて互いに平行に３ライン設けられており、各センシング部の光入射側にＲ、Ｇ、Ｂの色分解フィルタの何れかが各々取付けられて構成されている（所謂３ラインカラーＣＣＤ）。ラインＣＣＤ１１６は、各センシング部の受光面がレンズユニット４０の結像点位置に一致するように配置されている。また、各センシング部の近傍には、多数のＣＣＤセルから成る転送部が各センシング部に対応して各々設けられており、各センシング部の各ＣＣＤセルに蓄積された電荷は、対応する転送部を介して順に転送される。また図示は省略するが、ラインＣＣＤ１１６とレンズユニット４０との間にはシャッタが設けられている。
【００２５】
次に、図２を参照してフィルムキャリア１４を説明する。なお、本実施の形態に係るフィルムキャリア１４は、所定の規格のフィルム種に適用される。即ち、フィルムの先端及び後端各々から後述する第２搬送ローラ対４１４と第３搬送ローラ対４１８との間の距離以内の領域には画像が存在せず、該距離以上離れた領域に画像が存在するフィルムに適用される。
【００２６】
図２に示すように、フィルムキャリア１４は、フィルム２２を収容したカートリッジ４０２が所定の位置にセット可能に構成され、セットされたカートリッジ４０２からフィルム２２を引き出す方向に沿って、後述する各種搬送ローラ対が配置されている。なお、以下では、図２に示される矢印Ｊ方向のフィルム２２を引き出す方向を引出方向と称し、矢印Ｋ方向のフィルム２２をカートリッジ４０２に巻き戻して収容する方向を収容方向と称する。
【００２７】
上記カートリッジ４０２のセット位置から引出方向Ｊに沿って、第１搬送ローラ対４０４、ゴミ取り用ローラ４０６、フィルム２２の幅方向両端部に設けられた図示しない磁気記録層の表面からゴミを除去するゴミ取りローラ４０８（フィルム２２の幅方向両端部に対応して一対）、磁気記録層からの磁気情報の読み取りを行う図示しない磁気ヘッド及び磁気記録層への磁気情報の書き込みを行う図示しない磁気ヘッドをそれぞれ備えた磁気情報読み書き部４１０（フィルム２２の幅方向両端部に対応して一対）、フィルム２２に設けられた図示しないパーフォレーション及びバーコードを検出するパーフォレーションセンサ４１２、第２搬送ローラ対４１４、フィルム２２の幅方向に沿った反りを矯正してフィルム２２におけるフィルム画像の走査位置（実際にはフィルム２２の長さ方向に微小な幅の細長い領域）でフィルム２２の表面が平面となるように保持する一対のフィルム湾曲部材４１６（詳細は後述する）、第３搬送ローラ対４１８、第４搬送ローラ対４２０、フィルム２２の仮巻き取り部４２２が順に配設されている。
【００２８】
第１〜第４搬送ローラ対４０４、４１４、４１８、４２０は、駆動ローラ４０４Ａ、４１４Ａ、４１８Ａ、４２０Ａと、従動ローラ４０４Ｂ、４１４Ｂ、４１８Ｂ、４２０Ｂによって構成されている。
【００２９】
また、フィルムキャリア１４には、駆動ローラ４０４Ａ、４１４Ａ、４１８Ａ、４２０Ａの駆動力源となるモータ４３０が設置されており、このモータ４３０の駆動軸４３２と第２搬送ローラ対４１４の駆動軸４３４とは、径が異なる複数のプーリーや無端ベルト等を含んで構成された多段階変速機構４４０によって連結されている。
【００３０】
第２搬送ローラ対４１４の駆動軸４３４には無端ベルト４５２、４５４が巻き掛けられており、このうち無端ベルト４５２は第１搬送ローラ対４０４の駆動軸４５６に、無端ベルト４５４は第３搬送ローラ対４１８の駆動軸４５８に、それぞれ巻き掛けられている。また、第３搬送ローラ対４１８の駆動軸４５８には無端ベルト４６０が巻き掛けられており、この無端ベルト４６０は第４搬送ローラ対４２０の駆動軸４６２に巻き掛けられている。これにより、モータ４３０の駆動力により第２搬送ローラ対４１４の駆動軸４３４が回転駆動されることで、駆動軸４５６、４５８、４６２も回転駆動される。従って、モータ４３０の回転速度を一定に保持しながら、上記多段階変速機構４４０によって第２搬送ローラ対４１４の駆動軸４３４の回転速度を変化させることにより、駆動軸４５６、４５８、４６２の回転速度も変化させ、フィルム２２の搬送速度を変更可能にしている。
【００３１】
第３搬送ローラ対４１８の駆動軸４５８における、駆動ローラ４１８Ａと無端ベルト４５４が巻き掛けられた位置との間には、ワンウェイクラッチ３０が設けられている。ワンウェイクラッチ３０は、フィルム２２を引出方向Ｊに搬送する場合、モータ４３０の駆動力を駆動ローラ４１４Ａに伝達し、フィルム２２を収容方向Ｋに搬送する場合、モータ４３０の駆動力を駆動ローラ４１４Ａに伝達せずに、駆動ローラ４１４Ａを従動ローラとして機能させるものである。
【００３２】
ところで、フィルムキャリア１４の筐体における、前述した走査位置の真上部及び真下部には走査光用の図示しないスリット孔が形成されている。すなわち、フィルムキャリア１４内を搬送されるフィルム２２に対し、走査位置において下方から走査光（調光されている）が光軸に沿って照射され、その透過光がフィルムキャリア１４の上方に配設された、ラインＣＣＤ１１６に到達するように構成されている。
【００３３】
なお、図示は省略したが、カートリッジ４０２を図１に示される位置にセットしたときにカートリッジ４０２からフィルム２２の先端部を引き出し、第１搬送ローラ対４０４の挟持部へ自動的に送り出すフィルム送り出し機構もフィルムキャリア１４に内蔵されている。
【００３４】
図３及び図４に示すように、フィルム湾曲部材４１６は、第２搬送ローラ対４１４と第３搬送ローラ対４１８との間の、フィルム２２の幅方向両端部各々に配置されている。なお、フィルム２２の幅方向両端部各々に配置されているフィルム湾曲部材４１６の各々は、同一の構成であるので、引出方向Ｊに向かって左側に配置されているフィルム湾曲部材４１６を説明し、右側のフィルム湾曲部材４１６の説明を省略する。
【００３５】
フィルム湾曲部材４１６は、通過するフィルム２２が第２搬送ローラ対４１４及び第３搬送ローラ対４１８間で、一旦フィルム２２の巻きカール方向と逆方向に第１の湾曲角で湾曲し、その後、後述する走査位置ｒで巻きカール方向に第１の湾曲角以上の大きさの第２の湾曲角で湾曲し、再度、巻きカール方向と逆方向に第１の湾曲角で湾曲して搬送される搬送経路Ｋ３が形成されるように、フィルム２２の端部を下側から挟む位置に配置された第１部材３２Ａと、フィルム２２の端部を上側から挟む位置に配置された第２の部材３４Ａ及び第３の部材３８Ａと、を含んで構成されている。なお、第２搬送ローラ対４１４及び第３搬送ローラ対４１８の外側のフィルム搬送経路を、フィルム搬送経路Ｋ１、Ｋ２と称する。
【００３６】
第１部材３２Ａは、両端がフィルム搬送経路Ｋ１、Ｋ２に連続する凸表面を有する。なお、凸表面の頂上部がフィルム搬送経路Ｋ１、Ｋ２面より上側に位置する。
【００３７】
第２部材３４Ａは、両端がフィルム搬送経路Ｋ１、Ｋ２に連続し、かつ、下部面が第１部材３２Ａの凸表面に対応する凹表面を有する。また、例えば、図３（Ｂ）の点Ｐ、Ｑ、Ｒが、図４（Ｃ）の点Ｐ、Ｑ、Ｒ位置に位置して、第２の部材３４Ａが、凹表面と凸表面とが、フィルム２２の厚さより十分厚い所定距離Ｌ１（例えば、０．５ｍｍ〜０．６ｍｍ）離間するように配置されている。更に、第２の部材３４Ａは、中央が矩形状に切り欠けられている。
【００３８】
第３部材３８Ａは、第２部材３４Ａの矩形状に切り欠けられた位置に配置されると共に、例えば、図３（Ａ）の点Ｓ、Ｔが、図４（Ｃ）の点Ｓ、Ｔ位置に位置して、凸表面と、所定距離Ｌ１より短い、フィルム２２の厚さより若干厚い所定距離Ｌ２（０．４ｍｍ以下、好ましくは、０．２ｍｍ程度）離間するように配置されている。なお、第３の部材３８Ａは第１の部材３２Ａに、バネ４０Ａの弱い付勢力により、付勢されている。
【００３９】
なお、第３部材３８Ａの下部面に対応する第１部材３２Ａの凸表面内に、フィルム２２の前述した左側端部２２ＡＢが位置する。
【００４０】
なお、図に示されるフィルム湾曲部材４１６は、上方凸（ラインＣＣＤ１１６に向かって凸）の形状に形成したが、後述するように押さえローラを採用する場合には、下方凸の形状に形成してもよい。
【００４１】
ここで、第１部材３２Ａ及び第１部材３２Ｂの頂上部間は、前述した走査位置ｒとされ、フィルムキャリア１４は、走査位置ｒより所定距離離間した位置に、押さえローラ４２Ａ、４２Ｂを備えている。押さえローラ４２Ａ、４２Ｂの上部は、第１部材３２Ａの凸表面と同じ位置に位置する。
【００４２】
次に、本実施の形態の動作を説明する。
カートリッジ４０２が図１に示される位置にセットされると、フィルム送り出し機構が作動して、カートリッジ４０２からフィルム２２の先端部が引き出され、第１搬送ローラ対４０４の挟持部へ自動的に送り出される。
【００４３】
フィルム２２の先端部が第１搬送ローラ対４０４の挟持部へ自動的に送り出されると、第１搬送ローラ対４０４近傍に配置された図示しない先端検出センサが、フィルム２２の先端部を検出する。これにより、図示しないコントローラが、モータ４３０を作動させる。モータ４３０が作動すると、モータ４３０の駆動力により第２搬送ローラ対４１４の駆動軸４３４が回転駆動され、駆動軸４５６、４５８、４６２が回転駆動され、第１搬送ローラ対４０４、第２搬送ローラ対４１４、第３搬送ローラ対４１８、第４搬送ローラ対４２０により、フィルム２２が、引出方向Ｊに搬送され、搬送経路Ｋ１、Ｋ３、Ｋ２の順に搬送される。
【００４４】
搬送経路Ｋ１に沿ってフィルム２２が搬送され、第２搬送ローラ対４１４に到達するまでの間では、ゴミ取りローラ４０８により、フィルム２２に設けられた磁気記録層の表面からゴミが除去され、磁気情報読み書き部４１０により、磁気記録層からの磁気情報の読み取り及び磁気記録層への磁気情報の書き込みが行われ、パーフォレーションセンサ４１２により、フィルム２２に設けられたパーフォレーション及びバーコードが検出される。
【００４５】
搬送経路Ｋ３に沿ってフィルム２２が搬送されるときには、フィルム２２の走査位置ｒに位置する画像がラインＣＣＤ１１６によりプレスキャンされる。なお、このとき、磁気情報読み書き部４１０により読み取られた磁気情報やパーフォレーションセンサ４１２により検出されたパーフォレーション及びバーコードに基づいて、搬送制御される。
【００４６】
フィルム２２を引出方向Ｊに搬送する場合、ワンウェイクラッチ３０は、モータ４３０の駆動力を駆動ローラ４１４Ａに伝達している。
【００４７】
一方、搬送経路Ｋ２上に配置された図示しない後端検出センサが、フィルム２２の後端を検出すると、フィルム２２の全ての画像のプレスキャンが終了したと判断し、コントローラは、モータ４３０を上記とは逆方向に作動させる。モータ４３０が逆方向に作動すると、第１搬送ローラ対４０４、第２搬送ローラ対４１４、第３搬送ローラ対４１８、第４搬送ローラ対４２０により、フィルム２２が、収容方向Ｋに搬送され、搬送経路Ｋ２、Ｋ３、Ｋ１の順に搬送される。
【００４８】
なお、フィルム２２を収容方向Ｋに搬送する場合、ワンウェイクラッチ３０は、モータ４３０の駆動力を駆動ローラ４１４Ａに伝達せずに、駆動ローラ４１４Ａを従動ローラとして機能させている。
【００４９】
搬送経路Ｋ３に沿ってフィルム２２が搬送されるときには、フィルム２２の走査位置ｒに位置する画像が、前述したように、ラインＣＣＤによりファインスキャンされる。
【００５０】
ここで、光軸上の搬送経路外側にはピントチャートが表示されている。そして、プレスキャン時やファインスキャン時に、ラインＣＣＤ１１６によりこのピントチャートを読み取り、走査位置ｒのオートフォーカスを行う。
【００５１】
以上説明したように本実施の形態では、フィルム２２の引出方向及び収容方向Ｋの各々の搬送時、フィルム２２を搬送経路Ｋ３に沿って搬送するので、フィルム２２は、フィルム湾曲部材４１６により、ラインＣＣＤ側に凸となるように湾曲する、即ち、一旦フィルム２２の巻きカール方向と逆方向に湾曲し、その後、走査位置ｒで巻きカール方向に湾曲し、再度巻きカール方向と逆方向に湾曲して搬送される。即ち、フィルム２２は、フィルム搬送経路Ｋ１、Ｋ２面より上方凸に湾曲搬送されるので、巻きカールが除去される。
【００５２】
なお、搬送経路Ｋ３の両端部の隙間は、フィルム２２の厚さより十分厚い所定距離Ｌ１であるので、フィルム２２が容易に搬送経路Ｋ３内に進入することができる。
【００５３】
ここで、フィルム２２の先端が折れていたり、チェックテープや目切れていても、フィルム２２の両端が頂上部を通過する際は、フィルム２２の剛性による力（上方向）が第３部材３８Ａへのバネ４０Ａの弱い付勢力に勝り、第３部材３８Ａを上方向に持ち上げながらフィルム２２の両端が頂上部を通過する。
【００５４】
また、フィルム２２の両端が頂上部を通過する際、即ち、フィルム２２が走査位置ｒを通過する際は、押さえローラ４２Ａ、４２Ｂにより、フィルム２２が、幅方向に押さえられ、樋カールが矯正される。
【００５５】
以上のようにフィルムが走査位置を通過する際は、フィルムの巻きカール及び樋カールが矯正される。
【００５６】
よって、走査位置に位置するフィルムの領域は、走査位置を含みかつ光軸に対して垂直な平面内に略位置する。即ち、フィルムの走査位置での高い平面性が得られる。従って、フィルムの画像の読み取り性能が向上する。
【００５７】
なお、フィルムを収容方向に搬送する場合、ワンウェイクラッチにより、モータ４３０の駆動力が駆動ローラ４１４Ａに伝達されず、駆動ローラ４１４Ａが従動ローラとして機能するので、駆動ローラ４１４Ａが抵抗となり、フィルム２２が第２搬送ローラ対４１４により引っ張られることになる。よって、第２搬送ローラ対４１４と第３搬送ローラ対４１８との間でフィルム２２にテンションが発生する。フィルム２２にテンションが発生すると、フィルム２２は第１部材３２Ａの凸表面に張り付くようになる。よって、上記平面性が更に向上する。
【００５８】
なお、フィルムにテンションを発生させる方法は、上記ワンウェイクラッチによる方向に限定されない。即ち、第３搬送ローラ対４１８に代えて、図５に示すように、フィルム２２の端部に対応する位置の垂直断面円の半径ｒ0 が第２搬送ローラ対の４１４の各ローラの半径より長い逆クラウンローラ４１８Ａ１を採用してもよい。このように逆クラウンローラ４１８Ａ１は、フィルム２２の端部に対応する位置の垂直断面円の半径ｒ0 が第２搬送ローラ対の４１４の各ローラの半径より長いので、逆クラウンローラ４１８Ａ１のフィルム２２の端部に対応する位置の周速度が第２搬送ローラ対４１４の周速度より遅くなり、フィルム２２が第２搬送ローラ対４１４により引っ張られることになる。よって、フィルム２２にテンションが発生する。
【００５９】
また、図６に示すように、搬送経路Ｋ３内の第３搬送ローラ対４１８側位置に、テンションローラ装置５０を備えるようにしてもよい。即ち、テンションローラ装置５０は、フィルム２２の幅方向に沿って配置され、フィルム２２の幅以上の長さの、フィルム２２に接触するローラ５６、一端でローラ５６を支持すると共に他端がバネ５２により付勢される支柱５４と、ローラ５６位置を上方向に退避させる、図示しないソレノイド等の退避手段と、により構成されている。即ち、支柱５４は、バネ５２により付勢されており、付勢力をローラ５６に伝達し、ローラ５６によりフィルム２２が下方に押される。これにより、フィルム２２にテンションが発生する。なお、先端検出センサがフィルム２２の先端部を検出した時から、フィルム２２の先端が該ローラ５６位置に到達するまでの時間が経過するまでに、例えば、フィルム２２の先端が該ローラ５６位置に到達する直前に、退避手段により、ローラ５６を上方向に退避させておいて、フィルム２２が通過しやすくする。
【００６０】
なお、フィルム湾曲部材４１６を省略し、図３に示した押さえローラ４２Ａ、４２Ｂ、図５に示した逆クラウンローラ４１８Ａ１、及び図６に示したテンションローラ装置５０により、巻きカール及び樋カールを矯正するようにしてもよい。
【００６１】
前述した実施の形態では、押さえローラ４２Ａ、４２Ｂを備えて、フィルムを幅方向に押さえて樋カールを矯正しているが、本発明はこれに限定されず、図７に示すように、押さえローラ４２Ａ、４２Ｂに代えて、フィルムの凸（ラインＣＣＤに向かって凸）となるように湾曲される部分ｒの内側に、該部分ｒが走査方向に沿って水平となるように規制する、ガラス製の規制手段６０を配置するようにしてもよい。
【００６２】
このように、ラインＣＣＤに向かって凸となるようにフィルムを湾曲させた場合に、フィルムの凸となるように湾曲される部分ｒの内側に規制手段６０を配置するのは次の通りである。即ち、当該部分ｒの外側に配置すると、ラインＣＣＤにより、フィルムを透過した光が規制手段６０を介して読み取られ、読み取り精度が悪くなるためである。また、前述したようにフィルムが一対のフィルム湾曲部材４１６により両端が保持されると、フィルムの当該部分ｒは当該部分ｒの内側にたわむので、このたわみを当該部分ｒの内側から規制するようにするためである。
【００６３】
前述した実施の形態では、走査位置でフィルムに記録された画像を走査読取りしているが、本発明はこれに限定されず、走査位置でフィルムに画像を走査記録するようにしてもよい。
【００６４】
【発明の効果】
以上説明したように本発明は、走査位置において、走査方向と略直交する方向に沿ってフィルムを湾曲させるので、走査位置に位置するフィルムの領域における巻きカールを矯正することができ、走査位置に位置するフィルムの領域における平面性を確保することができる、という効果を有する。
【００６５】
本発明は、フィルムの凸となるように湾曲される部分の内側に、該部分が走査方向に沿って水平となるように規制する規制手段を配置するので、フィルムの凸となるように湾曲される部分のたわみ等を規制することができる、という効果を有する。
【００６６】
本発明は、湾曲手段を、搬送方向に直交する方向に沿ったフィルムの端部を案内するガイドとしているので、湾曲手段により、フィルムに記録された画像が傷つけられることを防止することができる、という効果を有する。
【００６７】
本発明は、走査位置を挟んで搬送方向の上流側及び下流側の少なくとも一方において、フィルムを押圧するので、走査位置に位置するフィルムの領域における樋カールを矯正することができ、走査位置に位置するフィルムの領域における平面性を確保することができる、という効果を有する。
【００６８】
本発明は、走査位置を通過しているフィルムの部分に、テンションを発生させるので、テンションにより、フィルムの巻きカール及び樋カールを矯正することができ、走査位置に位置するフィルムの領域における平面性を確保することができる、という効果を有する。
【図面の簡単な説明】
【図１】ラインＣＣＤスキャナの構成を示した断面図である。
【図２】フィルムキャリアの概略構成を示す概略斜視図である。
【図３】（Ａ）は、フィルム湾曲部材の概略構成を示す断面図、（Ｂ）は、フィルム湾曲部材の概略構成を示す上面図である。
【図４】（Ａ）は、フィルム湾曲部材の第３部材を示した図であり、（Ｂ）は、フィルム湾曲部材の第２部材を示した図であり、（Ｃ）は、フィルム湾曲部材の第１部材を示した図であり、（Ｄ）は、フイルム搬送経路を示した図である。
【図５】第３搬送ローラの変形例を示す斜視図である。
【図６】他の変形例を示す図である。
【図７】規制手段の例を示す図である。
【符号の説明】
４１６        フィルム湾曲部材
４０４、４１４、４１８、４２０      第１〜第４搬送ローラ対
【図１】
0003714781.tif 000002
【図２】
0003714781.tif 000003
【図３】
0003714781.tif 000004
【図４】
0003714781.tif 000005
【図５】
0003714781.tif 000006
【図６】
0003714781.tif 000007
【図７】
0003714781.tif 000008